(57)【特許請求の範囲】
【請求項１】
測量機器を使用して境界点を確定するためのプリズムを装着したポールと、
中心部に前記ポールを通せる穴が形成された円板状のプレートを備え、
前記プレートは直径が境界石の底面の対角線の長さと同一に形成され、裏面に移動防止用の突起を施したことを特徴とする境界石埋設機材。
【請求項２】
測量機器を使用して境界点を確定するためのプリズムを装着したポールと、
前記ポールを通せる穴が形成されたプレートを備え、
前記プレートの表面には前記穴の中心から放射状に延びた複数の線が表示され、
前記プレートの裏面に移動防止用の突起を施したことを特徴とする境界石埋設機材。
【請求項３】
測量機器を使用して境界点を確定するためのプリズムを装着したポールと、
境界石を埋設する位置を確定する作業時に前記境界石の代替部材として使用し、前記ポールに装着可能な本体と、
前記本体の側面を覆う着脱可能なケースを備えることを特徴とする境界石埋設機材。
【請求項４】
前記本体は前記境界石の実物大に形成され、前記境界石よりも軽量な直方体で、上部に直立を確認する水準器と前記ポールを装着する挿入口を平面視における中心、いずれか１つの角、いずれか１つの辺の中点に設けたことを特徴とする請求項３に記載の境界石埋設機材。
【請求項５】
前記ケースは筒状のもので、前記本体に固定する固定装置と前記境界石を挿入後に前記ケースを抜き取る取っ手を備えることを特徴とする請求項３又は４に記載の境界石埋設機材。
【発明の詳細な説明】
【技術分野】
【０００１】
本発明は、境界石（以下「杭」という。）を地中に埋設する際の機材に関する。
【背景技術】
【０００２】
通常の「杭」の形状は直方体で上部は殆ど正方形であり境界点の位置は、正方形の中心と一辺の中点及び角の３箇所である。
【０００３】
境界点を出す方法としては、プリズムを装着したポールを垂直に立て測量器機からプリズムを観測する。この作業を数回繰り返して正しい位置を特定するのが一般的である。
【０００４】
「杭」埋設は土地の測量関係での最終的な現場作業であり、それまでの作業が如何に正確に行われたとしても、現地の「杭」が境界予定位置と一致しなければ、測量成果簿の「図面」はただの「絵」となり、また後日の境界紛争の一因になる。
【０００５】
「杭」埋設のポイントは４点有り、「杭」の境界点の位置・直立・高さ（地上の露出部分）・方向（向き）であり、一番重要なのは位置であり特に「杭」据え付け位置である。
【０００６】
「杭」据え付け位置が正しく、根固めがしっかりしてあれば、土を埋め戻す際「杭」が多少傾いていても上部を位置修正することにより直立した状態に戻る。
【０００７】
「杭」埋設について極論を言えば「杭」据え付け時の位置ズレにより、「杭」が傾いていても「傾いたまま杭の境界点を優先」するのか、位置よりも「見栄えを優先して直立」にするのか、あるいは最初から「入れ直す」のかの選択に迫られる。
【０００８】
測量機器側から「杭」の据え付け位置（穴の底）が見えず、穴が深いため容易に手が届かない。
【０００９】
作業効率を考慮して掘削する穴を最小限の大きさにするため、「杭」を据え付ける際「杭」自身が邪魔をして境界点（ポイント）を直視できず勘に頼って据え付け、方向を調整している間にポイントがズレル。
【００１０】
穴の深さを決めるには、コンベックス等で確認しても実際の「杭」を入れると予想外の時もしばしばあるので、「杭」を出し入れして高さ・方向を確認するのが一番である。
【００１１】
現実には「杭」を出し入れするか、あるいは重い時（２０ｋｇ前後のものもある）はそのまま土を埋め戻してしまう時もある。
【００１２】
「杭」埋設に関し市販されている補助的な機材は殆ど無く、杭の直立を確認するために水準器を使用する程度で、勘に頼る部分も大である。
【００１３】
市販されている「引照器」も有用ではあるが、使用箇所に制限があり（周囲がコンクリート・アスファルト舗装は不可）、境界点は示せるが「杭」の据え付け位置までは示せない難点がある。（非特許文献１参照）
【先行技術文献】
【特許文献】
【００１４】
【特許文献１】特開２００９−１１５７７１号公報
【特許文献２】特開平１１−１６６８３３号公報
【特許文献３】特開平０９−２８７９５２号公報
【非特許文献】
【００１５】
【非特許文献１】株式会社マイゾックス「製品情報ガイド２０１４  Ｖｏｌ．３１，ｐ００２，ｐ０６４」
【発明の概要】
【発明が解決しようとする課題】
【００１６】
課題１  「杭」の「据え付け位置」を埋設用の現地の穴の底に表示する。
【００１７】
課題２  「杭」埋設前に埋設用の穴で設置後の状況を１人での作業で確認したい。
通常は次の方法で行うが困難である。
１．埋設用の穴に「杭」を入れ水準器を見ながら「杭」を垂直に立てる。
２．「杭」の境界点（３点の内１点）に水準器を見ながらプリズム付きポールを垂直に立てる。
３．測量機器よりプリズムを観測する。
以上により埋設後の状況を確認することになるが、「杭」が固定されておらずグラツクため１人で上記１・２の作業は同時に行えず、２人で行うには互いが邪魔になり不可能である、結果として勘に頼らざるを得ないため。
【００１８】
課題３  雨天・湧水の際は穴の底に濁った水が溜まり境界予定点が見えず、全て勘に頼らざるを得ない。この埋設作業を正確・迅速に行えるようにする。
【課題を解決するための手段】
【００１９】
課題１を解決するには、据え付け位置を出す際はプリズム付きポールを使用する。ポールの中心が境界点であり、同点を穴の底に表示するには穴が深く手が届きにくい。
【００２０】
そこで発明した方法として上記「ポールを通せる適宜の穴を開けたプレート」をポールに装着し、位置特定後プレートを穴の底に落下させ上から加圧固定しポールを外す。
【００２１】
以上によりプレートの穴の中心が境界点となり「杭」据え付け位置が確認でき方向も自由に調整可能である。プレートの裏面には移動防止用の突起を適宜施す。
【００２２】
上記「プレート」について「杭」の境界点の位置により２種類の方法で対応する。境界点として一番多いのは「杭」の「中心」であり、同点は「杭」据え付けの際「杭」の底部内に位置するためプレートの穴を目視できない。そこで「杭」の対角線を直径とする円又は円形状のプレート、あるいは同円又は円形状を表示したプレートを使用する。「杭」が円形内に存すれば「杭」中心と境界点は一致している。
【００２３】
上記以外の２点「中点」と「角」については「杭」の縁であるため、「杭」据え付け点は当然のことながら境界点と同位置の「杭」底部であり、仮に同点の中心に円形のプレートを設置した時は、「杭」据え付け後のプレートの２分の１又は４分の３は目視可能である。
【００２４】
上記可視部分を活用して、中心が判明できるプレートを「杭」据え付け前に境界点に表示できればその点が「杭」据え付け位置になる。
【００２５】
上記「プレート」の外形の形状について、円形であれば回転しても外側の形状は変わらず、プレートの中心の穴と外形の二つの形状を目視でき、大きさも必要最小限にできるため土の掘削量も少なく済むが、外形の形状は必ずしも円形に固執する必要はなくプレートの中心が判明できるように表示されていれば良く、必要に応じて中心方向を示す線をプレートに表示して中心をより分かり易くする
課題２を解決するには、現物の「杭」では不可能であるため、「杭」の「実物大で軽量な直方体」を作り、それにプリズム付きポールを装着できれば１人でも「杭」設置状況を確認することは可能である。
【００２６】
上記「直方体」には上部に垂直を確認する水準器と、「杭」の境界点の位置に合わせるためポール挿入口を最多３箇所設けプリズム付きポールを装着できるようにする。（この機能を有する直方体を以下「本体」という。）
埋設用の穴を掘り「本体」を出し入れして大まかな位置と深さを確認し、底の土を平坦にする。
【００２７】
ピンポールの挿入口は「杭」の境界点の位置により３箇所から選択し、測量機器よりプリズムを観測して境界点を特定する。
【００２８】
境界点が特定されたら、移動防止と方向調整のためにピンポールの先端を穴の底に突きさし、ピンポールを支点に「本体」を回転させ「杭」設置の向きに合わせて、「杭」埋設のポイントを全て（位置・直立・高さ・方向）クリアしていることが確認できる。
【００２９】
課題３を解決するには、上記により「本体」にて特定した据え付け位置に、現物の「杭」を据え付けることができれば課題を解決できる。その方法として発明したのが「本体」の側面を覆う着脱可能な筒状の「ケース」を使用することである。
【００３０】
「本体」と「ケース」の使用方法については次の通りである。
１．「本体」にプリズム付きピンポールとケースを装着する。
２．「本体」が「杭」埋設のポイント（４項目）をクリアした状態になっていることを確認する。
３．「本体」が自立する程度まで土を埋め戻す。
４．ケース内の「本体」を抜き「杭」をケースに入れる。
５．ケースを抜き取り、更に埋め戻しを行い「杭」を固定する。
６．測量機器より「杭」の境界点を観測し、予定位置にあることを確認して埋設作業は完了する。
【００３１】
上記の埋設方法は境界点が中心だけでなく他の２点にも活用でき、天候・湧水等に影響されず通常の「杭」埋設にも使用できる画期的な発明である。
【００３２】
図１には全ての境界点に対応するようピンポール挿入口を３箇所設けてあるが境界の位置としては中心が圧倒的に多いので普及品としては同点のみに特化した商品開発も検討する。
【図面の簡単な説明】
【００３３】
【図１】本発明の実施形態を示す平面図・側面図・断面図
【図２】本発明の実施形態を示す拡大図・断面図・平面図・側面図
【発明を実施するための形態】
【００３４】
以下、本発明の実施の形態を図１・図２に基づいて説明する。
【００３５】
図１・図２においては、比較的コンパクトなピンポールとミニプリズムを使用するのが一般的に普及しているので本図でも同様の仕様で作図するが、ピンポールの強度を考慮してピンポールの径は所定の径とする。
【００３６】
１０１は「杭」１の境界点の位置を示し中心２・中点３・角４の３箇所である。
【００３７】
１０２は埋設用の穴に、ピンポール５にミニプリズム６を装着した状態で７はプッシュボタン方式のワンタッチスライド機構であり、ボタンを押すことによりピンポール５を挿入・上下スライドが可能で手を離すと固定される機能であり「本体」上部のピンポ−ル挿入口３箇所にも採用する。
【００３８】
プレート８は「杭」１の境界点の中心２用で、プレート９は中点３・角４用でいずれもピンチ（洗濯挟み）１０でピンポール５に装着してある。ピンチ１０を取り外すことによりプレート８・９が埋設用の穴の底１３に落下し、上から加圧してプレート８・９を固定する。図にはプレート８・９を同時に表示してあるが当然のことながらいずれか一つの装着になる。
【００３９】
１０３の８−１はプレート８の表面で８−２は裏面である。９−１はプレート９の表面で９−２は裏面である。
【００４０】
プレート８は「杭」１の境界点の中心２用で本図では「杭」１の対角線とプレート８の直径は同一とし、プレート９は中点３・角４用で本図では円形に記載してあり、本図では穴の中心方向を示す線１１を表示してある。いずれも中心にピンポール５を通す穴があり裏面は移動防止用の突起１２を施してある。
【００４１】
１０４では各プレート８・９に「杭」１を据え付けた状況を示し、プレート８の円内が「杭」１据え付け位置で、プレート９については穴の中心が据え付け位置を示している。いずれも方向調整は簡易である。
【００４２】
１０５は、本発明で対象にしている境界石（「杭」１）の実物大（図は縮小されている）の直方体で本図では上部に、３箇所の境界点を示している。
【００４３】
１０６・１０７は、「杭」１の実物大の直方体１４を改良し、上部に水準器１５とピンポール挿入口３箇所（１６・１７・１８）設け、プッシュボタン７を装備し、全ての挿入口にミニプリズム６付きピンポール５を挿入した上部平面図と側面図である。（以下この装備を有する直方体を「本体」１９という。）現実に「本体」を使用する時は、ピンポール挿入口１６・１７・１８は１箇所のみの使用となる。
【００４４】
ピンポール挿入口１６・１７・１８は境界位置３・２・４に対応している。挿入口１７は「本体」１９を貫通しているが、挿入口１６・１８は「本体」１９より一部突出しておりピンポール５が１点のみの固定となり不安定であるため「本体」１９に固定部分２０を設けてピンポール５を固定する。
【００４５】
現場作業に耐えるよう「本体」１９の上部２１と下部２２は金属製とし、他の部分２３は形状・素材を考慮して軽量化を図る。
【００４６】
１０８は上から「本体」１９の２０部分、形状を軽量化した部分、下部部分の断面図である。２４は「本体」１９の側面を覆う筒状のケースである。同ケースの基本形状は正方形であるが、境界位置３・４に対応するにはピンポール５用のスペース２５をそれぞれ設ける。
【００４７】
１０９は「本体」１９のピンポール挿入口１８にミニプリズム６付きピンポール５を挿入し、ケース２４を装着した側面図である。
予め掘削した埋設用の穴に「本体」１９により「杭」１の据え付け位置を特定し、移動防止のためピンポール５を「本体」１下部より突出２６させ、自立する程度に土を埋め戻した状態である（仮埋め戻し２７）。
【００４８】
２８はケース２４を「本体」１９に固定する装置で、２９はケース２４内の「本体」１９を「杭」１に入れ替えた後、ケース２４を抜き取るための取っ手である。
【００４９】
１１０はケース２４内の「本体」１９を「杭」１に入れ替えた状態を示す断面図で、ケース２４下部には自立する程度に土が仮埋め戻し２７され、ケース２４を抜き取った後に本格的に埋め戻し３０を行う。
【００５０】
１１１は「本体」１９上部の拡大図でありピンポール挿入口１６・１７・１８及び１０６・１０８のピンポール固定部分２０の内側にはピンポール５保護のため樹脂材３１を使用する。
【００５１】
１１２は「本体」１９にケース２４を固定する装置の断面図で「本体」１９には凹部３２を２箇所設け、装置より凸部３３を凹部に挿入することにより装着する。１１２−１は装着前の状況で凸部３３は装置内に収納されている。
１１２−２は凸部３３は凹部３２に装着されケース２４は「本体」１９に固定される。
【００５２】
１１３は「本体」１９を「杭」１の境界点２（中心）に特化したもので、１１４は位置を特定し仮埋め戻し２７を行い、１１５はケース２４内の「本体」１９を「杭」（境界石）１に入れ替え１１６はケース２４を抜き取って本埋め戻し３０を完了した状態でそれぞれの上部平面図・側面図及び断面図である。
【符号の説明】
【００５３】
１  境界石（以下「杭」という。）
２  「杭」の境界点−中心
３  「杭」の境界点−中点
４  「杭」の境界点−角
５  ピンポール（ポール）
６  ミニプリズム（プリズム）
７  ピンポールを挿入・スライド・固定用のプッシュボタン
８  中心用２の円形状プレート（本図では「杭」の対角線と円の直径は同じ円で表示）
８−１  ８の表面
８−２  ８の裏面
９  中点３・角４兼用の円形状プレート（本図では中心の穴も形状も円で表示）
９−１  ９の表面
９−２  ９の裏面
１０  ピンチ（洗濯挟み）
１１  プレートの穴の中心方向を示す線
１２  移動防止用の突起
１３  「杭」埋設用の穴の底
１４  「杭」（境界石）の実物大の直方体
１５  水準器
１６  中点３用のピンポール挿入口
１７  中心２用のピンポール挿入口
１８  角４用のピンポール挿入口
１９  「本体」（境界石の実物大で軽量な直方体、上部に水準器とピンポール挿入口を最多３箇所有する装置を「本体」という）
２０  ピンポール固定部分
２１  本体上部金属部分
２２  本体下部金属部分
２３  本体の軽量化部分（素材（含む内側部分）・形状）
２４  「本体」を側面から覆うケース
２５  ピンポール用スペ−ス
２６  ピンポール先端で地中部分（方向調整の支点・移動防止用）
２７  仮埋め戻し部分
２８  ケース固定装置（固定装置）
２９  ケース抜き取り用「取っ手」
３０  本埋め戻し部分
３１  樹脂材
３２  「本体」凹部分
３３  ケース固定装置凸部分
１０１  「杭」上部の平面図（境界点位置３箇所）
１０２  課題１の境界点を表示するプレートを設置する状況を示す側面図
１０３  上記プレートの表面と裏面の平面図
１０４  上記プレートの境界点にそれぞれ「杭」を据え付け、方向を調整した設置例
１０５  境界石の実物大の直方体を示す上部平面図と側面図
１０６  「本体」１９にプリズム付きピンポールを装着した側面図
１０７  「本体」１９の上部を示す平面図
１０８  「本体」１９の断面図（３箇所）
１０９  「本体」にプリズム付きピンポールとケースを装着し仮埋め戻しをした側面図
１１０  ケース内の「本体」と「杭」を入れ替えた後の状態で、これからケース２４の「取っ手」２９を持ち上げてケースを抜き取り本埋め戻し前の状態を示した断面図
１１１  「本体」上部の拡大図
１１２  ケースを「本体」に装着する固定装置部分の断面図
１１３  「杭」の境界点２に特化した「本体」
１１４  上記「本体」にプリズム付きピンポールとケースを装着し「杭」据え付け位置に固定し仮埋め戻しを行った状態を示した側面図
１１５  上記状態のケース内の「本体」を「杭」に入れ替えた状態を示した断面図
１１６  上記状態からケースを抜き取り、本埋め戻しを行った状態を示した断面図
【図１】
0005783580.tif 000002
【図２】
0005783580.tif 000003